(57)【要約】【課題】ガス供給ボンベの良好な交換作業性を確保すると共に、ガス供給ボンベがハンドルの折畳みを阻害するという問題を解消する。【解決手段】機体前部に搭載され、ガスを燃料として動作するガスエンジン２と、ガスエンジン２にガスを供給するガス供給ボンベ３と、ガスエンジン２から出力される動力で回転駆動される車軸５と、車軸５に設けられる複数の耕耘爪７と、機体後部から後ろ上方に延出するハンドルフレーム８と、ハンドルフレーム８の先端部に折畳み自在に設けられるハンドル９とを備える歩行型管理機１において、ガス供給ボンベ３を、側面視でガスエンジン２とハンドルフレーム８との間の空間１０内に配置する。【選択図】図１
2008238852.tif 000002
【特許請求の範囲】
【請求項１】
機体前部に搭載され、ガスを燃料として動作するガスエンジンと、
ガスエンジンにガスを供給するガス供給ボンベと、
ガスエンジンから出力される動力で回転駆動される車軸と、
車軸に設けられる複数の耕耘爪と、
機体後部から後ろ上方に延出するハンドルフレームと、
ハンドルフレームの先端部に折畳み自在に設けられるハンドルと、
を備える歩行型管理機であって、
前記ガス供給ボンベを、側面視でガスエンジンとハンドルフレームとの間の空間内に配置したことを特徴とする歩行型管理機。
【請求項２】
前記ガスエンジンの上方をエンジンカバーで覆うと共に、該エンジンカバーの上端を通る水平線よりも下方にガス供給ボンベを配置したことを特徴とする請求項１記載の歩行型管理機。
【請求項３】
前記ハンドルをガスエンジンの側方に折り畳んだとき、平面視でハンドルと重合しない位置にガス供給ボンベを配置したことを特徴とする請求項１又は２記載の歩行型管理機。
【発明の詳細な説明】
【技術分野】
【０００１】
本発明は、ガスエンジンが搭載された歩行型管理機に関し、詳しくは、ガスエンジンにガスを供給するガス供給ボンベの配置構成に特徴がある歩行型管理機に関する。
【背景技術】
【０００２】
ガスエンジンが搭載された歩行型管理機が知られている（例えば、特許文献１、２参照）。この種の歩行型管理機では、ガス供給ボンベ（カセットガスボンベ）が所定の位置に載置されており、ガス供給ボンベからガスエンジンにガス供給を行うと共に、ガス供給ボンベ内のガスが無くなったら、満タン状態のガス供給ボンベに交換される。
【０００３】
しかしながら、特許文献１に記載される歩行型管理機では、ガス供給ボンベをエンジンカバーで覆われる空間に配置しているため、ガス供給ボンベの交換に際し、わざわざエンジンカバーを外す必要があり、ガス供給ボンベの交換作業性に劣るという問題がある。
【０００４】
一方、特許文献２に記載される歩行型管理機では、ガス供給ボンベをハンドル部に配置しているため、ガス供給ボンベの交換に際し、わざわざエンジンカバーを外す必要がなく、ガス供給ボンベの交換作業性に優れている。
【特許文献１】特開平１１−１７０８７６号公報
【特許文献２】特開平１０−１３１８０９号公報
【発明の開示】
【発明が解決しようとする課題】
【０００５】
しかしながら、ハンドルを折畳み自在とした歩行型管理機では、特許文献２に記載される歩行型管理機のガス供給ボンベ位置が丁度ハンドルの折畳み支点となるため、ガス供給ボンベが邪魔になってハンドルの折畳みが困難になるという問題がある。
【課題を解決するための手段】
【０００６】
本発明は、上記の如き実情に鑑みこれらの課題を解決することを目的として創作されたものであって、機体前部に搭載され、ガスを燃料として動作するガスエンジンと、ガスエンジンにガスを供給するガス供給ボンベと、ガスエンジンから出力される動力で回転駆動される車軸と、車軸に設けられる複数の耕耘爪と、機体後部から後ろ上方に延出するハンドルフレームと、ハンドルフレームの先端部に折畳み自在に設けられるハンドルと、を備える歩行型管理機であって、前記ガス供給ボンベを、側面視でガスエンジンとハンドルフレームとの間の空間内に配置したことを特徴とする。このようにすると、ガス供給ボンベの良好な交換作業性を確保できるだけでなく、ガス供給ボンベがハンドルの折畳みを阻害するという問題も回避できる。
また、前記ガスエンジンの上方をエンジンカバーで覆うと共に、該エンジンカバーの上端を通る水平線よりも下方にガス供給ボンベを配置したことを特徴とする。このようにすると、ガス供給ボンベがエンジンカバーよりも上方に突出しないため、作業時だけでなく、折畳み格納時の機体容積をコンパクトに収めることができる。
また、前記ハンドルをガスエンジンの側方に折り畳んだとき、平面視でハンドルと重合しない位置にガス供給ボンベを配置したことを特徴とする。このようにすると、折り畳んだハンドルとガス供給ボンベの干渉をより確実に防止することができる。
【発明を実施するための最良の形態】
【０００７】
次に、本発明の実施形態について、図面に基づいて説明する。図１〜図３において、１は歩行型管理機であって、該歩行型管理機１は、機体前部に搭載され、ガスを燃料として動作するガスエンジン２と、ガスエンジン２にガスを供給するガス供給ボンベ３と、ミッションケース４の下端部から左右側方に延出し、ガスエンジン２の動力で回転駆動される車軸５と、車軸５の先端部に設けられる車輪６と、車軸５に複数設けられる耕耘爪７と、機体後部から後ろ上方に延出するハンドルフレーム８と、ハンドルフレーム８の先端部に設けられるハンドル９とを備えている。
【０００８】
図１に示すように、ハンドルフレーム８は、ガスエンジン２との間に側面視で逆三角形状の空間１０を存すると共に、先端部でハンドル９を支持している。図２及び図３に示すように、ハンドル９は、平面視で凵字又はＵ字形状を有しており、オペレータが握るグリップ９ａの近傍に各種の操作具が配置されている。また、ハンドル９は、ハンドルフレーム８に折り畳み自在に取り付けられており、使用しないときは、ハンドル９を折り畳むことにより、歩行型管理機１をコンパクトに収納できるようになっている。具体的には、ハンドル固定具であるノブ付きボルト１１を外すと、ハンドル基端部を回動中心としてハンドル９が前後回動自在となり、図３に示すように、ハンドル９をガスエンジン２の側方位置に折り畳むことができるようになっている。
【０００９】
ガス供給ボンベ３は、家庭用カセットコンロに使用されるカセットガスボンベであり、ボンベホルダ１２にセットすると、ガス供給管１３を介してガスエンジン２にガスが供給される。また、ガス供給ボンベ３内のガスが無くなったら、満タン状態のガス供給ボンベ３に交換される。本実施形態のボンベホルダ１２は、左右を向く円筒ケース１２ａと、円筒ケース１２ａの一端部に設けられるボンベ接続部１２ｂと、円筒ケース１２ａの他端部に形成されるボンベ着脱口１２ｃと、ボンベ着脱口１２ｃを開閉する蓋１２ｄとを備えて構成されている。つまり、蓋１２ｄを取り外してボンベ着脱口１２ｃを開き、ここからガス供給ボンベ３を円筒ケース１２ａ内に挿入した後、蓋１２ｄを再び取り付けることにより、ガス供給ボンベ３からガスエンジン２へのガス供給が可能になる。
【００１０】
ボンベホルダ１２は、ブラケット１４を介してハンドルフレーム８に取り付けられている。ここで、本発明に係る歩行型管理機１では、ボンベホルダ１２（ガス供給ボンベ３）を、図１に示すように、側面視でガスエンジン２とハンドルフレーム８との間の空間１０内に配置する。このようにすると、ガス供給ボンベ３の良好な交換作業性を確保できるだけでなく、ガス供給ボンベ３がハンドル９の折畳みを阻害するという不都合が回避される。
【００１１】
また、本実施形態では、ガスエンジン２の上方をエンジンカバー１５で覆うにあたり、図１に示すように、エンジンカバー１５の上端を通る水平線１６よりも下方にガス供給ボンベ３（ボンベホルダ１２）を配置している。具体的には、ボンベホルダ１２を左右方向に配置することにより、ガス供給ボンベ３が上記の水平線１６よりも上方に突出しないようにしている。このようにすると、ガス供給ボンベ３がエンジンカバー１５よりも上方に突出しないので、作業時だけでなく、折畳み格納時の機体容積をコンパクトに収めることが可能となる。
【００１２】
さらに、本実施形態では、図３に示すように、前述の手順でハンドル９をガスエンジン２の側方に折り畳んだとき、平面視でハンドル９と重合しない位置にガス供給ボンベ３（ボンベホルダ１２）を配置している。このようにすると、折り畳んだハンドル９とガス供給ボンベ３（ボンベホルダ１２）の干渉をより確実に防止することが可能となる。
【００１３】
叙述の如く構成された本実施形態の歩行型管理機１は、機体前部に搭載され、ガスを燃料として動作するガスエンジン２と、ガスエンジン２にガスを供給するガス供給ボンベ３と、ガスエンジン２から出力される動力で回転駆動される車軸５と、車軸５に設けられる複数の耕耘爪７と、機体後部から後ろ上方に延出するハンドルフレーム８と、ハンドルフレーム８の先端部に折畳み自在に設けられるハンドル９とを備えるものであるが、ガス供給ボンベ３を、側面視でガスエンジン２とハンドルフレーム８との間の空間１０内に配置しているので、ガス供給ボンベ３の良好な交換作業性を確保できるだけでなく、ガス供給ボンベ３がハンドル９の折畳みを阻害するという問題も回避できる。
【００１４】
また、ガスエンジン２の上方をエンジンカバー１５で覆うと共に、該エンジンカバー１５の上端を通る水平線１６よりも下方にガス供給ボンベ３を配置したので、ガス供給ボンベ３がエンジンカバー１５よりも上方に突出することを回避でき、その結果、作業時だけでなく、折畳み格納時の機体容積をコンパクトに収めることができる。
【００１５】
また、ハンドル９をガスエンジン２の側方に折り畳んだとき、平面視でハンドル９と重合しない位置にガス供給ボンベ３を配置したので、折り畳んだハンドル９とガス供給ボンベ３の干渉をより確実に防止することができる。
【図面の簡単な説明】
【００１６】
【図１】歩行型管理機の側面図である。
【図２】歩行型管理機（車軸省略）の平面図である。
【図３】歩行型管理機（ハンドル折り畳み状態）の平面図である。
【符号の説明】
【００１７】
１    歩行型管理機
２    ガスエンジン
３    ガス供給ボンベ
５    車軸
７    耕耘爪
８    ハンドルフレーム
９    ハンドル
１０  空間
１２  ボンベホルダ
１３  ガス供給管
１５  エンジンカバー
１６  水平線
【図１】
2008238852.tif 000003
【図２】
2008238852.tif 000004
【図３】
2008238852.tif 000005